(57)【要約】【課題】組み立て作業の簡素化に寄与することができるスイッチ用操作片ユニットおよび電子機器を提供する。【解決手段】スライダ片２４は、筐体１２の縁を迂回しつつ操作片２０の一端に接続片２９の一端を連結する。スライダ片２４はスライド自在に筐体１２ａの縁上を移動する。操作片２０の移動に基づき接続片２９は移動する。操作片２０の移動に応じてスイッチ素子３１の移動片３３はオン位置およびオフ位置の間で移動する。こうした電子機器１１の組み立てにあたって、スライダ片２４は筐体１２ａの縁に受け止められる。操作片２０は筐体１２の外面に沿って配置される。接続片２９は筐体１２の内面に沿って配置される。接続片２９は移動片３３に連結される。こうしてスライダ片２４が筐体１２の縁に受け止められると同時に、接続片２９およびスイッチ素子３１の連結が実現される。電子機器１１の組み立て作業は簡素化される。【選択図】図３
2008071557.tif 000002
【特許請求の範囲】
【請求項１】
操作片と、操作片に所定の間隔で向き合わせられる接続片と、操作片および接続片の間に区画される空間を迂回しつつ操作片の上端に接続片の上端を連結し、当該空間に接する１仮想平面上で広がるスライド面を規定するスライダ片とを備えることを特徴とするスイッチ用操作片ユニット。
【請求項２】
筐体と、筐体に収容されて、１直線に沿ってオン位置およびオフ位置の間で移動する移動片を有するスイッチ素子と、筐体の外面に沿って配置される操作片と、筐体の内面に沿って配置され、スイッチ素子の移動片に連結される接続片と、筐体の縁を迂回しつつ操作片の一端に接続片の一端を連結し、スライド自在に筐体の縁上を移動するスライダ片とを備えることを特徴とする電子機器。
【請求項３】
請求項２に記載の電子機器において、前記筐体は、前記縁を区画するベースと、ベースに覆い被さりつつベースとの間に前記スライダ片を挟み込む縁を区画するカバーとを備えることを特徴とする電子機器。
【請求項４】
請求項３に記載の電子機器において、前記スライダ片は前記カバーの縁に押し当てられる突起を区画することを特徴とする電子機器。
【請求項５】
操作片と、操作片に所定の間隔で向き合わせられる接続片と、操作片および接続片の間に区画される空間を迂回しつつ操作片の上端に接続片の上端を連結し、当該空間に接する１仮想平面上で広がるスライド面を規定するスライダ片と、スライダ片に連結される移動片を有するスイッチ素子とを備えることを特徴とするスイッチ。
【発明の詳細な説明】
【技術分野】
【０００１】
本発明は、例えばノートブックパーソナルコンピュータ（ノートパソコン）といった電子機器に関する。
【背景技術】
【０００２】
例えば特許文献１に開示されるように、ノートパソコンにはスイッチが組み込まれる。スイッチは、筐体の側面にスライド自在に取り付けられる操作片を備える。操作片は、筐体内に配置されるスイッチ素子に連結片で連結される。こういった連結にあたって筐体の壁体には貫通孔が区画される。操作片のスライド移動に基づきスイッチ素子はオン位置およびオフ位置の間で移動する。
【特許文献１】特開平１０−１５４４２８号公報
【特許文献２】特開２００１−３２５８４４号公報
【特許文献３】特開２００６−１７９３９５号公報
【特許文献４】特開２００４−６３１０９号公報
【発明の開示】
【発明が解決しようとする課題】
【０００３】
こうしたノートパソコンの組み立てにあたって連結片は貫通孔内に挿入される。連結片には突起やリブが形成される。突起やリブは連結片の進入を妨げる。組み立て作業の効率は悪化する。
【０００４】
本発明は、上記実状に鑑みてなされたもので、組み立て作業の簡素化に寄与することができるスイッチ用操作片ユニットおよび電子機器を提供することを目的とする。
【課題を解決するための手段】
【０００５】
上記目的を達成するために、第１発明によれば、筐体と、筐体に収容されて、１直線に沿ってオン位置およびオフ位置の間で移動する移動片を有するスイッチ素子と、筐体の外面に沿って配置される操作片と、筐体の内面に沿って配置され、スイッチ素子の移動片に連結される接続片と、筐体の縁を迂回しつつ操作片の一端に接続片の一端を連結し、スライド自在に筐体の縁上を移動するスライダ片とを備えることを特徴とする電子機器が提供される。
【０００６】
こうした電子機器では、スライダ片は、筐体の縁を迂回しつつ操作片の一端に接続片の一端を連結する。スライダ片はスライド自在に筐体の縁上を移動する。操作片が筐体の外面に沿って移動すると、スライダ片のスライド移動に基づき接続片は操作片と同様に移動する。操作片の移動に応じてスイッチ素子の移動片はオン位置およびオフ位置の間で移動することができる。
【０００７】
こういった電子機器の組み立てにあたって、スライダ片は筐体の縁に受け止められる。このとき、操作片は筐体の外面に沿って配置される。同時に、接続片は筐体の内面に沿って配置される。接続片はスイッチ素子の移動片に連結される。こうしてスライダ片が筐体の縁に受け止められると同時に、接続片およびスイッチ素子の連結が実現される。電子機器の組み立て作業は簡素化されることができる。
【０００８】
こうした電子機器では、筐体は、縁を区画するベースと、ベースに覆い被さりつつベースとの間にスライダ片を挟み込む縁を区画するカバーとを備えればよい。こうしてスライダ片はベースおよびカバーの間に挟み込まれることから、ベースに開口が区画される必要はない。電子機器の組み立て作業は簡素化される。このとき、スライダ片はカバーの縁に押し当てられる突起を区画すればよい。こうした突起の働きでスライダ片およびカバーの縁の接触面積は減少する。スライダ片およびカバーの縁の間で摩擦力は弱められる。
【０００９】
第２発明によれば、操作片と、操作片に所定の間隔で向き合わせられる接続片と、操作片および接続片の間に区画される空間を迂回しつつ操作片の上端に接続片の上端を連結し、当該空間に接する１仮想平面上で広がるスライド面を規定するスライダ片とを備えることを特徴とするスイッチ用操作片ユニットが提供される。
【００１０】
こういったスイッチ用操作片ユニットは例えば電子機器に組み込まれる。スライダ片のスライド面は例えば筐体の縁上に受け止められる。前述と同様に、スライダ片が筐体の縁に受け止められると同時に接続片およびスイッチ素子の連結は実現される。こうしたスイッチ用操作片ユニットは例えば電子機器の組み立て作業の簡素化に大きく寄与することができる。
【００１１】
第３発明によれば、操作片と、操作片に所定の間隔で向き合わせられる接続片と、操作片および接続片の間に区画される空間を迂回しつつ操作片の上端に接続片の上端を連結し、当該空間に接する１仮想平面上で広がるスライド面を規定するスライダ片と、スライダ片に連結される移動片を有するスイッチ素子とを備えることを特徴とするスイッチが提供される。こうしたスイッチは例えば電子機器の組み立て作業の簡素化に大きく寄与することができる。
【発明の効果】
【００１２】
以上のように本発明によれば、組み立て作業の簡素化に寄与することができるスイッチ用操作片ユニットおよび電子機器が提供される。
【発明を実施するための最良の形態】
【００１３】
以下、添付図面を参照しつつ本発明の一実施形態を説明する。
【００１４】
図１は本発明の一実施形態に係る電子機器すなわちノートブックパーソナルコンピュータ（ノートパソコン）１１の外観を概略的に示す。このノートパソコン１１は、薄型の第１筐体すなわち本体筐体１２と、この本体筐体１２に揺動自在に連結される第２筐体すなわちディスプレイ用筐体１３とを備える。本体筐体１２は、ベース１２ａと、ベース１２ａに着脱自在に結合されるカバー１２ｂとを備える。カバー１２ｂの表面にはキーボード１４やポインティングデバイス１５といった入力装置が組み込まれる。利用者はこういった入力装置１４、１５から指示やデータを入力することができる。
【００１５】
ディスプレイ用筐体１３には例えばＬＣＤ（液晶ディスプレイ）パネルモジュール１６が組み込まれる。ＬＣＤパネルモジュール１６の画面は、ディスプレイ用筐体１３に区画される窓孔１７に臨む。画面にはテキストやグラフィックスが表示されることができる。利用者はそういったテキストやグラフィックスに基づきノートパソコン１１の動作を確認することができる。ディスプレイ用筐体１３は、本体筐体１２に対する揺動を通じて本体筐体１２に重ね合わせられることができる。
【００１６】
本体筐体１２の周壁にはオンオフスイッチ１８が組み込まれる。オンオフスイッチ１８は本体筐体１２の外面で露出する操作片ユニットすなわち操作部材１９を備える。この操作部材１９は操作片２０を区画する。操作片２０は、本体筐体１２に区画される窪み２１内に受け入れられる。この窪み２１は部分的にカバー１２ｂの縁で仕切られる。操作片２０は窪み２１内でカバー１２ｂの縁に沿ってスライドすることができる。こうして操作片２０は１直線に沿ってスイッチオン位置とスイッチオフ位置との間で移動する。
【００１７】
図２から明らかなように、操作片２０はベース１２ａの周壁２２の外面に沿って配置される。操作片２０には、その移動方向を横切る方向に延びる複数の突起２３が形成される。突起２３は例えば等間隔で配列されればよい。こうした突起２３によれば、操作部材１９のスライド移動の実現にあたって利用者の指の滑りは回避される。操作部材１９のスライド移動は確実に実現されることができる。
【００１８】
操作片２０には１対のスライダ片２４、２４が連結される。スライダ片２４の一端は操作片２０の上端に接続される。操作片２０の背後には規定の空間２５が区画される。この空間２５に周壁２２は配置される。その結果、個々のスライダ片２４はスライド面２６で周壁２２の上端に受け止められる。周壁２２の上端は一平面を規定する。スライド面２６はこの一平面で仕切られる。こうしてスライダ片２４は周壁２２の上端をスライド移動することができる。スライダ片２４は、その空間２５すなわち周壁２２を迂回しつつ延びる。スライダ片２４同士は相互に並行に延びればよい。
【００１９】
各スライダ片２４には、その上面から突き出る半円柱状の突起２７が形成される。突起２７はスライダ片２４の移動方向を横切る方向に延びる。図３から明らかなように、突起２７はカバー１２ｂの縁２８に押し当てられる。こうしてスライダ片２４はスライド移動自在にベース１２ａおよびカバー１２ｂの間に挟み込まれる。突起２７の働きでスライダ片２４およびカバー１２ｂの接触面積は減少する。スライダ片２４およびカバー１２ｂの間で摩擦力は弱められる。
【００２０】
図４を併せて参照し、操作部材１９には、前述の空間２５を隔てて操作片２０に向き合わせられる接続片２９が区画される。すなわち、接続片２９は周壁２２の内面に沿って配置される。個々のスライダ片２４の他端は接続片２９の上端に接続される。操作片２０、スライダ片２４および接続片２９は例えば樹脂材料から一体成型されればよい。
【００２１】
周壁２２の内側にはスイッチ素子３１が配置される。スイッチ素子３１はプリント基板３２の表面に実装される。プリント基板３２は本体筐体１２に収容される。スイッチ素子３１は、１直線に沿ってオン位置およびオフ位置の間で移動する移動片３３を備える。移動片３３の移動方向は操作片２０の移動方向に一致する。スイッチ素子３１は、移動片３３のオン位置で任意の回路の通電を実現する。スイッチ素子３１は、移動片３３のオフ位置で回路の通電を遮断する。
【００２２】
接続片２９には切り欠き３４が形成される。切り欠き３４に移動片３３は係り合う。こうして操作片２０のスライド移動はスイッチ素子３１の移動片３３に伝達される。操作片２０がスイッチオン位置に位置すると、移動片３３はオン位置に位置決めされる。操作片２０がスイッチオフ位置に位置すると、移動片３３はオフ位置に位置決めされる。
【００２３】
図５に示されるように、接続片２９の内面には半円柱状の突起３５が区画される。突起３５は接続片２９の移動方向を横切る方向に延びる。接続片２９は突起３５で周壁２２の内面に受け止められる。こういった突起３５の働きで接続片２９および周壁２２の接触面積は減少する。接続片２９および周壁２２の間で摩擦力は弱められる。
【００２４】
いま、図３に示されるように、移動片３３はオン位置に位置決めされる。このとき、ノートパソコン１１では例えば無線通信が実現されることができる。操作部材１９のスライド移動に基づき操作片２０が窪み２１の他端に位置決めされると、図６に示されるように、移動片３３はオフ位置に位置決めされる。このとき、ノートパソコン１１では例えば有線通信が実現されることができる。こうして操作部材１９のスライド移動に基づき無線通信および有線通信の切り替えが実現される。
【００２５】
いま、ベース１２ａに操作部材１９が取り付けられる場面を想定する。ベースおよびカバーの連結に先立ってスライダ片２４、２４はベース１２ａの縁に受け止められる。同時に、操作片２０は窪み２１に受け入れられる。同時に、接続片２９の切り欠き３４はスイッチ素子３１の移動片３３を受け入れる。こうして操作部材１９がベース１２ａの縁に取り付けられると同時に、接続片２９およびスイッチ素子３１の連結が実現される。ノートパソコン１１の組み立て作業は簡素化されることができる。その後、ベース１２ａにカバー１２ｂが結合される。
【００２６】
以上のような操作部材１９は、ノートパソコン１１といった電子機器に代えて、例えば情報処理端末（ＰＤＡ）や携帯電話端末装置、ディスプレイ装置といった電子機器、キーボードといった入力装置に組み込まれてもよい。
【図面の簡単な説明】
【００２７】
【図１】本発明に係る電子機器の一具体例すなわちノートブックパーソナルコンピュータの外観を概略的に示す斜視図である。
【図２】操作片ユニットの構造を概略的に示す部分拡大斜視図である。
【図３】図１の３−３線に沿った断面図である。
【図４】操作片ユニットの構造を概略的に示す部分拡大斜視図である。
【図５】操作片ユニットの構造を概略的に示す斜視図である。
【図６】操作片ユニットの構造を概略的に示す部分拡大斜視図である。
【符号の説明】
【００２８】
１１  電子機器（ノートブックパーソナルコンピュータ）、１２  筐体（本体筐体）、１２ａ  ベース、１２ｂ  カバー、１８  スイッチ（オンオフスイッチ）、１９  スイッチ用操作片ユニット（操作部材）、２０  操作片、２４  スライダ片、２５  空間、２６  スライド面、２７  突起、２９  接続片、３１  スイッチ素子、３３  移動片。
【図１】
2008071557.tif 000003
【図２】
2008071557.tif 000004
【図３】
2008071557.tif 000005
【図４】
2008071557.tif 000006
【図５】
2008071557.tif 000007
【図６】
2008071557.tif 000008